(57)【要約】  【課題】  同じ電子マネー媒体に対して不正に多くの分配を受け取ることを防止できる電子マネー分配装置を提供する。  【解決手段】  第１の媒体に記憶された電子マネーを、複数の第２の媒体へ順次分配する電子マネー分配装置であって、前記第２の媒体の識別情報に対応してカウントされた分配処理の実行回数が所定回数以下の場合に分配処理を実行する。【選択図】        図９
2011034194.tif 000002
【特許請求の範囲】
【請求項１】
第１の媒体に記憶された電子マネーを、複数の第２の媒体へ順次分配する電子マネー分配装置であって、
前記第１の媒体と通信する第１の通信媒介手段と、
前記第２の媒体のいずれか任意の１つと通信する第２の通信媒介手段と、
前記第１の通信媒体手段を介して前記第１の媒体から所定額の電子マネーの減額を行わせ、該減額分と同額の電子マネーの増額を前記第２の通信媒体手段を介して前記第２の媒体に対して行わせる分配処理を実行するとともに、前記第２の媒体の識別情報を取得し、該識別情報毎に前記分配処理の実行回数をカウントする制御手段と、
前記制御手段が取得した識別情報と、該識別情報に対応してカウントされた前記分配処理の実行回数を記憶する記憶手段と
を具備し、
前記制御手段は、前記第２の媒体から読取った識別情報と前記記憶手段に記憶された識別情報とを照合し、該識別情報に対応する前記分配処理の実行回数が所定回数以下の場合に前記分配処理を実行する
ことを特徴とする電子マネー分配装置。
【発明の詳細な説明】
【技術分野】
【０００１】
本発明は、電子マネーを、これを記憶する一の媒体から複数の他の媒体へ順次分配する電子マネー分配装置に関する。
【背景技術】
【０００２】
奉仕活動や他の様々なイベント会場等において、参加者に、その報酬や景品等として、現金や現金に相当するポイント、クーポン等を供することがある。
【０００３】
また、最近では、現金に換算して利用できるポイントカードが普及したこともあり、このポイントカードに数ポイントを加算するサービスも登場し、参加者も、電子的な付加価値を受け取ることに慣れてきている。
【０００４】
しかしながら、ポイントは、ある程度のポイント数を貯めなければ利用できない。また、クーポンは、利用できる範囲が限定されるなど、制約が多いものでもある。
【０００５】
このため、ポイントやクーポン等に代えて、報酬や景品等として、電子マネーを供することが考えられる。電子マネーは、近年、広く普及しており、利用できる場所も多く、１円に相当する価値からの利用も可能であり、制約が少ないものとなる。
【０００６】
なお、電子マネーを利用する電子財布の技術としては、特許文献１に記載されているものや、特許文献２に記載されているもの等が提案されている。
【先行技術文献】
【特許文献】
【０００７】
【特許文献１】特開２００９−１１０２０２号公報
【特許文献２】特開２００９−０４８４８８号公報
【発明の概要】
【発明が解決しようとする課題】
【０００８】
ところで、ポイントやクーポン券あるいは電子マネーを分配する場合、公平な分配が望まれるが、従来では一個人が繰り返し多く分配を受けるという不正を防止することが困難であった。
【０００９】
本発明は、前述した問題に鑑み、同じ媒体に繰り返して電子マネーの分配を受けるという不正を防止できる電子マネー分配装置を提供することを目的とする。
【課題を解決するための手段】
【００１０】
前述した目的を達成するため、請求項１の発明は、第１の媒体に記憶された電子マネーを、複数の第２の媒体へ順次分配する電子マネー分配装置であって、前記第１の媒体と通信する第１の通信媒介手段と、前記第２の媒体のいずれか任意の１つと通信する第２の通信媒介手段と、前記第１の通信媒体手段を介して前記第１の媒体から所定額の電子マネーの減額を行わせ、該減額分と同額の電子マネーの増額を前記第２の通信媒体手段を介して前記第２の媒体に対して行わせる分配処理を実行するとともに、前記第２の媒体の識別情報を取得し、該識別情報毎に前記分配処理の実行回数をカウントする制御手段と、前記制御手段が取得した識別情報と、該識別情報に対応してカウントされた前記分配処理の実行回数を記憶する記憶手段とを具備し、前記制御手段は、前記第２の媒体から読取った識別情報と前記記憶手段に記憶された識別情報とを照合し、該識別情報に対応する前記分配処理の実行回数が所定回数以下の場合に前記分配処理を実行することを特徴とする。
【発明の効果】
【００１１】
本発明によれば、同じ電子マネー媒体に対して不正に多くの分配を受け取ることを防止できる。
【図面の簡単な説明】
【００１２】
【図１】電子マネー分配装置の構成例を示した図である。
【図２】電子マネー分配装置１０の構成例を示した図である。
【図３】電子マネー分配装置１の外観および各部の配置例を示した図である。
【図４】電子マネー分配装置１の外観および各部の配置例を示した図である。
【図５】電子マネー分配装置１の動作の流れを示すフローチャートである。
【図６】電子マネー分配装置１の動作の流れを示すフローチャートである。
【図７】電子マネー分配装置１の動作の流れを示すフローチャートである。
【図８】電子マネー分配装置１の動作の流れを示すフローチャートである。
【図９】分配処理時の電子マネー分配装置１の動作の流れを示すフローチャートである。
【図１０】分配処理時の電子マネー分配装置１の動作の流れを示すフローチャートである。
【図１１】分配処理時の電子マネー分配装置１の動作の流れを示すフローチャートである。
【発明を実施するための形態】
【００１３】
以下、本発明に係る電子マネー分配装置について、添付図面を参照して詳細に説明する。
【実施例１】
【００１４】
図１は、電子マネー分配装置の構成例を示した図である。
【００１５】
同図に示すように、電子マネー分配装置１は、制御基板１０と、認証情報入力端末１１、電子マネーＲ／Ｗ装置１２、アンテナセレクタ１３、アンテナ１４、アンテナ１５、電波遮断部１６、媒体フォルダ１７、媒体検知センサ１８を有する。
【００１６】
制御基板１０は、電子マネー分配装置１の制御部として動作するもので、分配指示端末２からの指示の受け付け、認証情報入力端末１１からの認証情報の受け付け、電子マネーＲ／Ｗ装置１２への指示の送出、アンテナセレクタ１３への指示の送出と、それぞれの応答を受け付ける。この制御基板１０の構成については後述する。
【００１７】
なお、分配指示端末２は、電子マネー分配装置１へ分配の指示（分配コマンド）の入力や電子マネー分配装置１へ分配する電子マネーの金額や後述する分配限度回数を入力を行なうものであり、電子マネー分配装置１とは別体の装置であって、例えば、キーボード等の入力部と液晶表示器等の表示部を有するもので、液晶表示器にアンケートが表示され、キーボード等でそのアンケートに回答すると、予め決められた電子マネーの金額情報や分配限度回数情報を電子マネー分配装置に送出する。また、この分配指示端末２は、認証情報入力端末１１と兼用するように構成してもよい。
【００１８】
なお、分配指示端末２は、前述したキーボード等の入力部と液晶表示器等の表示部を有するものに限定されるものではなく、分配指示に要する情報を電子マネー分配装置に送出するものであれば良い。
【００１９】
認証情報入力端末１１は、電子マネー分配装置１の管理者が操作する端末であり、電子マネー分配装置１の起動に必要なパスワードからなる認証情報の入力と、その応答の表示を行うもので、例えば、キーボード等の入力部と液晶表示器等の表示部を有するものである。また、認証情報入力端末１１は、分配指示端末と兼用するように構成してもよい。
【００２０】
電子マネーＲ／Ｗ装置１２は、電子マネー媒体３、電子マネー媒体４と通信を行い、これらに記憶されている情報の読出しや、情報の書き込み等を行うものである。
【００２１】
アンテナセレクタ１３は、アンテナ１４とアンテナ１５を選択的に電子マネーＲ／Ｗ装置１２と電気的に接続するものである。
【００２２】
アンテナ１４とアンテナ１５は、それぞれ、電子マネー媒体３、電子マネー媒体４と電子マネーＲ／Ｗ装置１２との間の通信を媒介するものである。
【００２３】
電波遮断部１６は、アンテナ１４が発する電波と、アンテナ１５が発する電波とを遮断するものである。
【００２４】
媒体フォルダ１７は、電子マネー媒体３を収容するもので、電子マネー媒体３が、アンテナ１４を介して電子マネーＲ／Ｗ装置１２と通信が可能となる位置に、電子マネー媒体３を保持する。
【００２５】
媒体検知センサ１８は、媒体フォルダ１７内に電子マネー媒体３が有ることを検知するセンサであって、例えば、接触式のスイッチからなる。
【００２６】
電子マネー媒体３は、非接触ＩＣカードからなる電子マネーを記憶する媒体である。この電子マネー媒体３は、管理者が用意する分配する為のマネーを予め記憶した媒体である。
【００２７】
電子マネー媒体４は、非接触ＩＣカードからなる電子マネーを記憶する媒体であって、分配を受けようとする者が所持する媒体である。
【００２８】
続いて、制御基板１０の構成について説明する。図２は、制御基板１０の構成例を示した図である。
【００２９】
同図に示すように、制御基板１０は、主制御部１０１と、記憶部１０２、電子マネーＲ／Ｗ装置インタフェイス１０３を有している。
【００３０】
主制御部１０１は、ＣＰＵ（Central Processing Unit）等のプロセッサ、ＲＯＭ（Read Only Memory）、不揮発性メモリ（Nonvolatile Memory）、ＲＡＭ(Random Access Memory)等のメモリを有するコンピュータであり、ＲＯＭや不揮発性メモリに記憶されているプログラムにしたがって動作する。なお、主制御部１０１の動作については、電子マネー分配装置１の動作として後述する。
【００３１】
記憶部１０２は、不揮発性メモリ等のメモリで構成されるもので、電子マネーの運営側から提供される分配処理用の情報や、電子マネー分配装置１の起動を認証するためのパスワードからなる認証情報や電子マネー分配装置１が分配する分配金額情報や分配限度回数等の設定情報と、電子マネー媒体３の識別情報と電子マネー媒体３の電子マネーの残金、電子マネー媒体３の識別情報および電子マネー媒体４への識別情報別の分配回数等、電子マネー分配装置１の動作ログ等を記憶するものである。
【００３２】
電子マネーＲ／Ｗ装置インタフェイス１０３は、電子マネーＲ／Ｗ装置１２を接続する。
【００３３】
このように構成された電子マネー分配装置１は、管理者によって認証情報入力端末１１から認証情報（パスワード）を入力されると起動し、分配指示端末２からの分配処理開始の指示（分配コマンド）に応じて、主制御部１０１が、媒体フォルダ１７に保持されている電子マネー媒体３からアンテナ１４を介して分配する電子マネーを減額（引き去り）してアンテナ１５へかざされた電子マネー媒体４に対して、この減額した分の電子マネーを分配する電子マネーの分配処理を実行するものである。  
次に、図１に示した電子マネー分配装置１の各部の配置例を説明する。図３および図４は、それぞれ、電子マネー分配装置１の外観および各部の配置例を示した図である。
【００３４】
まず、図３に示した例について説明する。図３（ａ）は、電子マネー分配装置１の外観を示す斜視図であり、図３（ｂ）は、電子マネー分配装置１の断面を示した図である。なお、図３（ａ）に示した矢印Ａおよび矢印Ｂと、図３（ｂ）に示した矢印Ａおよび矢印Ｂは、それぞれ、同じ方向を示したものである。
【００３５】
図３（ａ）は、電子マネー分配装置１の筐体１９に、認証情報入力端末１１と、媒体フォルダ１７、分配指示端末２を接続するためのコネクタ２０が配されており、分配指示端末２が接続されていない状態を示している。なお、アンテナ１５は、筐体１９に収容されているため、図３（ａ）の配置例では隠れていて見えない。
【００３６】
また、図３（ｂ）に示すように、筐体１９内には、制御基板１０、認証情報入力端末１１、電子マネーＲ／Ｗ装置１２、アンテナ１４、アンテナ１５、電波遮断部１６、電子マネー媒体３を収容する媒体フォルダ１７が配されている。電波遮断部１６は、内部筐体としても用いられている。なお、図３（ｂ）においては、アンテナセレクタ１３、媒体検知センサ、各部を電気的に接続する配線等については省略している。
【００３７】
続いて、図４に示した例について説明する。図４（ａ）は、電子マネー分配装置１の外観を示す斜視図であり、図４（ｂ）は、電子マネー分配装置の断面を示した図である。なお、図４（ａ）に示した矢印Ｃおよび矢印Ｄと、図４（ｂ）に示した矢印Ｃおよび矢印Ｄは、それぞれ、同じ方向を示したものである。
【００３８】
図４（ａ）に示したように、電子マネー分配装置１は、筐体１９’に、認証情報入力端末１１と、媒体フォルダ１７、分配指示端末２を接続するためのコネクタ２０が配されており、分配指示端末２が接続されていない状態を示している。なお、アンテナ１５は、筐体１９’に収容されているため、図４（ａ）の配置例では隠れていて見えない。
【００３９】
また、図４（ｂ）に示すように、筐体１９’内には、制御基板１０、認証情報入力端末１１、電子マネーＲ／Ｗ装置１２、アンテナ１４、アンテナ１５、電波遮断部１６、電子マネー媒体３を収容する媒体フォルダ１７が配されている。電波遮断部１６は、内部筐体としても用いられている。なお、図４（ｂ）においては、アンテナセレクタ１３、各部を電気的に接続する配線等については省略している。
【００４０】
次に、電子マネー分配装置１の動作について説明する。図５乃至８は、電子マネー分配装置１の起動時からの動作の流れを示すフローチャートである。
【００４１】
電子マネー分配装置１は、電源が投入されると、まず、主制御部１０１が、各部の初期化と状態確認を行う（ステップ２０１）。その結果、異常が検知された場合には（ステップ２０２でＹＥＳ）、主制御部１０１は、分配指示端末２を介して異常通知を行い（ステップ２０３）、動作を停止する。
【００４２】
一方、状態確認の結果、異常が検知されなければ（ステップ２０２でＮＯ）、主制御部１０１は、認証情報入力端末１１を介して認証情報（パスワード）の入力を要求し（ステップ２０４）、認証情報が入力されるのを待つ（ステップ２０５でＮＯ）。
【００４３】
そして、認証情報が入力されると（ステップ２０５でＹＥＳ）、主制御部１０１は、入力された認証情報と記憶部１０２に記憶されている認証情報とに基づいて認証処理を行い（ステップ２０６）、入力された認証情報が正しい、つまり、認証処理が成立すると（ステップ２０７でＹＥＳ）、アクセス鍵の復号化を行う（ステップ２０８）。
【００４４】
アクセス鍵は、電子マネーの運営者から提供される電子マネーの分配処理に必要な情報であり、記憶部１０２に暗号化されて記憶されているものである。
【００４５】
続いて、主制御部１０１は、媒体検知センサ１８により媒体フォルダ１７に電子マネー媒体３が収容されているか否かを確認し（ステップ２０９）、電子マネー媒体３が収容されていなければ（ステップ２１０でＮＯ）、分配指示端末２を介して電子マネー媒体３の挿入を指示する（ステップ２１１）。
【００４６】
一方、媒体フォルダ１７に電子マネー媒体３が収容されていれば（ステップ２１０でＹＥＳ）、主制御部１０１は、電子マネーＲ／Ｗ装置１２を動作させて電子マネー媒体３の情報を照会する（ステップ２１２）。
【００４７】
その結果、照会が不可能であった場合には（ステップ２１３でＮＯ）、主制御部１０１は、分配指示端末２を介して媒体３の異常を通知する（ステップ２１４）。
【００４８】
また、電子マネー媒体３の照会が可能であった場合には（ステップ２１３でＹＥＳ）、主制御部１０１は、記憶部１０２に記憶されている電子マネー媒体３の識別情報と電子マネーの残額を内部情報として取得する（ステップ２１５）。この内部情報として取得する識別情報と残額は、いずれも、電子マネー分配装置１の電源が遮断される直前に記憶していた情報である。
【００４９】
そして、照会で得られた識別情報と内部情報の識別情報が不一致であった場合には（ステップ２１６でＮＯ）、主制御部１０１は、分配指示端末２を介して、媒体フォルダ１７に収容されている電子マネー媒体３の確認を指示する（ステップ２１７）。
【００５０】
一方、照会で得られた識別情報と内部情報の識別情報が一致した場合には（ステップ２１６でＹＥＳ）、照会で得られた残額と内部情報の残額を比較し、両者が不一致であれば（ステップ２１８でＮＯ）、主制御部１０１は、分配指示端末２を介して、残額の確認を指示する（ステップ２１９）。
【００５１】
電子マネー媒体３の確認または残額の確認を指示した結果、分配指示端末２より了承の応答が入力されれば（ステップ２２０でＹＥＳ）、主制御部１０１は、記憶部１０２に記憶している内部情報を、照会で得られた結果に更新する（ステップ２２１）。
【００５２】
了承の応答が得られない場合には（ステップ２２０でＮＯ）、主制御部１０１は、分配指示端末２を介して異常通知を行い（ステップ２２２）、動作を停止する。
【００５３】
残額について照会結果と内部情報が一致した場合（ステップ２１８でＹＥＳ）、または、電子マネー媒体３の確認または残額の確認指示に対して了承の応答が入力されて内部情報を更新した場合には（ステップ２２０でＹＥＳ、ステップ２２１）、照会で得られた残額を確認し、その残額が予め定めた額未満、例えば、一回の分配金額未満であった場合には（ステップ２２３でＮＯ）、主制御部１０１は、分配指示端末２を介して、その状態を通知する（ステップ２２４）。
【００５４】
残額が予め定めた額以上であった場合には（ステップ２２３でＹＥＳ）、分配が可能な状態であることが確認されたため、電子マネー分配装置１は、待機状態となる。
【００５５】
待機状態では、媒体検知センサ１８による媒体フォルダ１７からの電子マネー媒体３の排出、分配処理端末２からの分配要求の入力、分配処理端末２からの終了要求の入力を監視する（ステップ２２５でＮＯ、ステップ２２６でＮＯ、ステップ２２８でＮＯとなるループ）。
【００５６】
この待機状態において、電子マネー媒体３が媒体フォルダ１７から排出されることのない状態、つまり、電子マネー媒体３が媒体フォルダ１７に収容されている状態で（ステップ２２５でＮＯ）で、分配指示端末２を介して分配要求があると（ステップ２２６でＹＥＳ）、後述する分配処理が実行さる。（ステップ２２７）。
【００５７】
また、待機状態において、分配指示端末２を介して終了要求があると（ステップ２２８でＹＥＳ）、主制御部１０１は、電子マネーＲ／Ｗ装置１２を動作させて電子マネー媒体３の情報を照会し（ステップ２２９）、照会結果に基づいて記憶部１０２に記憶している内部情報を更新し（ステップ２３０）、動作を停止する。
【００５８】
ところで、主制御部１０１は、媒体異常を通知した場合（ステップ２１４）と電子マネー媒体３の電子マネー残額が予め定めた額未満であった旨を通知した場合には（ステップ２２４）、媒体フォルダ１７に収容されている電子マネー媒体３が排出されるのを待つ（ステップ２３１でＮＯ）。
【００５９】
そして、通知に応じて媒体フォルダ１７に収容されている電子マネー媒体３が排出されたことを、媒体検知センサ１８により検知すると（ステップ２３１でＹＥＳ）、引き続いて、媒体フォルダ１７に電子マネー媒体３が挿入されるのを待つ（ステップ２３２でＮＯ）。
【００６０】
一方、電源投入時に媒体フォルダ１７に電子マネー媒体３が収容されておらず、電子マネー媒体３の挿入を指示した場合（ステップ２１１）と、待機状態で媒体フォルダ１７に収容されている電子マネー媒体３が排出された場合も（ステップ２２５でＹＥＳ）、媒体フォルダ１７に電子マネー媒体３が挿入されるのを待つ（ステップ２３２でＮＯ）。
【００６１】
そして、電子マネー媒体３が挿入されると（ステップ２３２でＹＥＳ）、主制御部１０１は、電子マネーＲ／Ｗ装置１２を動作させて電子マネー媒体３の情報を照会する（ステップ２３３）。
【００６２】
その結果、照会が不可能であった場合には（ステップ２３４でＮＯ）、主制御部１０１は、分配指示端末２を介して媒体３の異常を通知し（ステップ２３５）、ステップ２３１へと戻って同様の処理を繰り返す。
【００６３】
また、照会が可能であった場合には（ステップ２３４でＹＥＳ）、主制御部１０１は、照会結果に基づいて記憶部１０２に記憶している内部情報を更新し（ステップ２３６）、照会で得られた残額を確認し、その残額が予め定めた額未満であった場合には（ステップ２３７でＮＯ）、主制御部１０１は、分配指示端末２を介して、その状態を通知し（ステップ２３８）、ステップ２３１へと戻って同様の処理を繰り返す。
【００６４】
残額が予め定めた額以上であった場合には（ステップ２３７でＹＥＳ）、分配が可能な状態であることが確認されたため、電子マネー分配装置１は、待機状態となる。
【００６５】
次に、ステップ２２７の分配処理について説明する。図９および図１０は、分配処理時の電子マネー分配装置１の動作の流れを示すフローチャートである。
【００６６】
分配処理では、まず、主制御部１０１が、電子マネー媒体３から分配する電子マネーを引き去り、つまり、電子マネーの減算を行い（ステップ３０１）、その内容をログとして記憶部１０２に保存する（ステップ３０２）。この価値の引き去りを行う際には、ステップ２０８（図５参照）で復号したアクセス鍵を用いる。
【００６７】
続いて、主制御部１０１は、アンテナセレクタ１３を制御してアンテナ１５と電子マネーＲ／Ｗ装置１２を電気的に接続し、アンテナ１５を介して電子マネー媒体４と通信可能な状態とする（ステップ３０３）。
【００６８】
ここで、タイマーによる計時を開始して分配される電子マネー媒体４がアンテナ１５にかざされるまでの時間に制限をかける（ステップ３０４）。
【００６９】
そして、計時している時間がタイムアウトとなる前に、アンテナ１５の近傍に電子マネー媒体４が近づけられ、電子マネーＲ／Ｗ装置１２と電子マネー媒体４が通信可能となったことを検知すると（ステップ３０５でＹＥＳ、またはステップ３０６でＮＯの後にステップ３０５でＹＥＳ）、主制御部１０１は、電子マネー媒体４から識別情報を読取る（ステップ３０７）。
【００７０】
次に、主制御１０１は、読み取った識別情報に基づいて、記憶部１０２に記憶された当該識別情報を有する電子マネー媒体４に対して分配を行った回数を確認する（ステップ３０８）。確認の結果、読み取った識別情報を有する電子マネー媒体４に対する分配回数が分配限度回数未満であれば（ステップ３０９でＮＯ）、主制御部１０１は、電子マネー媒体４に対して電子マネーの分配を実行させる（ステップ３１０）。分配限度回数は、同一の電子マネー媒体４に対して分配を行うことを許容する回数であり、例えば、１回である。なお、この分配限度回数は、任意に設定可能な数である。
【００７１】
また、過去に分配の対象となっていない電子マネー媒体４の識別情報は、記憶部１０２に記憶されていないため、読み取った識別情報と同じ識別情報が記憶部１０２に記憶されていない場合には、主制御部１０１は、当該電子マネー媒体４に対して分配を行った回数を０回と判定する。したがって、分配限度回数を１回に設定した場合には、読み取った識別情報と同じ識別情報が記憶部１０２に記憶されているか否かを確認することで、当該識別情報を有する電子マネー媒体４に対して分配を行った回数の確認に代えることも可能となる。
【００７２】
そして、分配が正常に完了すると（ステップ３１１でＹＥＳ）、主制御部１０１は、分配を受けた電子マネー媒体４の識別情報と、その識別情報を有する電子マネー媒体４に対して分配した回数を計数（カウントアップ）して、識別情報と分配回数を対応させて、ログとともに記憶部１０２に保存する（ステップ３１２）。
【００７３】
なお、前述のように、分配限度回数を１回に設定した場合には、読み取った識別情報と同じ識別情報が記憶部１０２に記憶されているか否かの確認を分配を行った回数の確認に代えることができるため、この場合には、分配した回数の計数と保存を省略し、分配を受けた電子マネー媒体４の識別情報ログのみを保存することもできる。
【００７４】
続いて、主制御部１０１は、アンテナセレクタ１３を制御して、アンテナ１４と電子マネーＲ／Ｗ装置１２を電気的に接続する（ステップ３１３）。そして、電子マネー媒体３の情報を照会し（ステップ３１４）、照会で得られた残額が予め定めた額以上であった場合には（ステップ３１５でＹＥＳ）、待機状態へ戻る。
【００７５】
また、照会で得られた残額が予め定めた額未満であった場合には（ステップ３１５でＮＯ）、主制御部１０１は、分配指示端末２を介して、その状態を通知し（ステップ３１６）、ステップ２３１（図８参照）の処理に進み、以後、前述した処理と同様の処理が行われる。
【００７６】
一方、ステップ３０４で計時を開始した時間が制限時間に達するまでに電子マネー媒体４が検知されずにタイムアウトとなった場合（ステップ３０５でＮＯ、ステップ３０６でＮＯ）、主制御部１０１は、アンテナ１４と電子マネーＲ/Ｗ装置１２を接続して（ステップ３１７）、ステップ３０１で引き去った電子マネーを電子マネー媒体３へと戻す（ステップ３１８）。なお、ステップ３１８の電子マネーを戻す処理とは、具体的には、一度引き去った金額分の電子マネー電子マネー媒体３へと加算する方法と、引き去り処理をキャンセルする方法の２種類があり、いずれの方法でも可能である。そして、その内容をログとして記憶部１０２に保存し（ステップ３１９）、待機状態へと戻る。
【００７７】
また、ステップ３０８で確認を行った結果、読み取った識別情報を有する電子マネー媒体４に対する分配回数が分配限度回数以上であった場合や（ステップ３０９でＹＥＳ）、ステップ３１０での分配が正常に終了しなかった場合には（ステップ３１１でＮＯ）、主制御部１０１は、アンテナ１４と電子マネーＲ/Ｗ装置１２を接続して（ステップ３１７）、ステップ３０１で引き去った電子マネーを電子マネー媒体３へと戻す（ステップ３１８）。そして、その内容をログとして記憶部１０２に保存し（ステップ３１９）、待機状態へと戻る。
【００７８】
ところで、図９および図１０に示したフローチャートでは省略しているが、電子マネー分配装置１は、分配処理中に、常時、媒体フォルダ１７に電子マネー媒体３が収容されていることを監視しており、電子マネー媒体３と電子マネー分配装置１とが常時通信可能であることを確認している。そして、電子マネー媒体３が分配処理中に排出されたことが検知されると、不正が発生したと見做して、電子マネー分配装置１に電子マネー媒体３から引き去った価値情報が記憶されていても、分配処理を強制終了するものとする。
【００７９】
なお、ここで説明した分配処理は、分配指示端末２から分配指示が入力される毎に行う処理であるが、図９および図１０中に破線で示すように、ステップ３１９の後、または、ステップ３１５でＮＯであった場合にステップ３０１に戻り、決済分配指示端末２から分配指示が入力された後に、残額が分配金額未満となるか、タイムアウトとなるか、キャンセル指示が入力されるまで、分配処理を繰り返すようにすることで、例えば、行列をなしている電子マネー媒体４の所持者に対して、手際よく分配を行うことが可能となる。
【００８０】
また、本実施例では、分配処理中は、媒体フォルダ１７に電子マネー媒体３が収容されていることを監視するものとしたが、媒体フォルダ１７に電子マネー媒体３が収容されていることを監視する代わりに、アンテナセレクタ１３によりアンテナ１４とアンテナ１５を定期的に切り替えて常時アンテナ１４が電子マネー媒体３と通信可能であることを監視するようにしてもよい。
【００８１】
なお、前述の通り、電子マネー分配装置１は、待機状態および分配処理中において、媒体フォルダ１７に電子マネー媒体３が収容されていることを監視しており、分配処理実行中だけ、電子マネー媒体３から電子マネーを減額するようにしたので、電子マネー媒体３が収容されていない状態の装置だけが盗まれたとしても、不正に電子マネーを分配することが出来ない。また、たとえ電子マネー媒体３が搭載された状態で盗まれたとしても、電子マネー３に記憶された電子マネーの金額分だけに損害を抑えられる。
【００８２】
また、本実施例に示す電子マネー分配処理装置１は、分配指示端末２から電子マネー分配装置１へ分配する電子マネーの金額や後述する分配限度回数が入力され、尚且つ分配の指令を受けないと分配処理を実行できない装置であるから、電子マネー分配装置を盗んだとしても不正に分配処理を実行することが出来ない。
【００８３】
また、本実施例において電子マネー分配装置１は、電子マネー媒体４に分配を行う際に、電子マネー媒体４の識別情報を確認すると共に、識別情報毎の分配回数をカウントし、取得した電子マネー媒体４の識別情報と識別情報毎の分配回数を記憶部１０２に記憶して、同一の電子マネー媒体４に対して一定回数以上の分配が行われないようにしているから同じ電子マネー媒体に繰り返して電子マネーの分配を受けることで不正に分配を多く受け取ることを防止できる。
【００８４】
以上の効果により、盗んだチャージ機を利用して際限なく電子マネーを電子マネー媒体へ入金する不正が防止できる。
【実施例２】
【００８５】
実施例１では、電子マネー媒体３から電子マネーを減算後に、電子マネー媒体４へ減算した電子マネーを分配する例を説明したが、電子マネー媒体４がかざされたことをアンテナ１５によって検知後に、アンテナセレクタ１３によりアンテナ１４へ切り替えて電子マネー媒体３から電子マネーを減算し、再びアンテナ１５へ切り替えて、電子マネー媒体４へ減算した電子マネーを分配するようにしてもよい。
【００８６】
実施例２では、この場合の分配処理について説明する。ここで説明する分配処理は、実施例１のステップ２２７（図７参照）で行われる処理であり、図９および図１０を参照して説明した分配処理に代えて行う処理である。
【００８７】
図１１は、分配処理時の電子マネー分配装置１の動作の流れを示すフローチャートである。なお、ここでは、図１１に示したフローチャートに図１０に示したフローチャートを組み合わせて説明を行う。
【００８８】
分配処理では、まず、主制御部１０１が、アンテナセレクタ１３を制御してアンテナ１５と電子マネーＲ／Ｗ装置１２を電気的に接続し、アンテナ１５を介して電子マネー媒体４と通信可能な状態とする（ステップ４０１）。
【００８９】
そして、アンテナ１５の近傍に電子マネー媒体４が近づけられ、電子マネーＲ／Ｗ装置１２と電子マネー媒体４が通信可能となったことを検知すると（ステップ４０２でＹＥＳ）、主制御部１０１は、電子マネー媒体４から識別情報を読取る（ステップ４０３）。
【００９０】
次に、主制御１０１は、読み取った識別情報に基づいて、記憶部１０２に記憶された当該識別情報を有する電子マネー媒体４に対して分配を行った回数を確認する（ステップ４０４）。
【００９１】
確認の結果、読み取った識別情報を有する電子マネー媒体４に対する分配回数が分配限度回数未満であれば（ステップ４０５でＮＯ）、主制御部１０１は、アンテナセレクタ１３を制御して、アンテナ１４と電子マネーＲ／Ｗ装置１２を電気的に接続し（ステップ４０６）、電子マネー媒体３から分配する電子マネーの引き去りを行い（ステップ４０７）、その内容をログとして記憶部１０２に保存する（ステップ４０８）。この価値の引き去りを行う際には、ステップ２０８（図５参照）で復号したアクセス鍵を用いる。
【００９２】
続いて、主制御部１０１は、アンテナセレクタ１３を制御してアンテナ１５と電子マネーＲ／Ｗ装置１２を電気的に接続し、アンテナ１５を介して電子マネー媒体４と通信可能な状態とし（ステップ４０９）、電子マネー媒体４に対して電子マネーの分配を実行させる（ステップ４１０）。分配限度回数は、同一の電子マネー媒体４に対して分配を行うことを許容する回数であり、例えば、１回である。なお、この分配限度回数は、任意に設定可能な数である。
【００９３】
また、過去に分配の対象となっていない電子マネー媒体４の識別情報は、記憶部１０２に記憶されていないため、読み取った識別情報と同じ識別情報が記憶部１０２に記憶されていない場合には、主制御部１０１は、当該電子マネー媒体４に対して分配を行った回数を０回と判定する。したがって、分配限度回数を１回に設定した場合には、読み取った識別情報と同じ識別情報が記憶部１０２に記憶されているか否かを確認することで、当該識別情報を有する電子マネー媒体４に対して分配を行った回数の確認に代えることも可能となる。
【００９４】
そして、分配が正常に完了すると（ステップ４１１でＹＥＳ）、主制御部１０１は、分配を受けた電子マネー媒体４の識別情報と、その識別情報を有する電子マネー媒体４に対して分配した回数を計数（カウントアップ）して、識別情報と分配回数を対応させて、ログとともに記憶部１０２に保存する（ステップ３１２）。
【００９５】
なお、前述のように、分配限度回数を１回に設定した場合には、読み取った識別情報と同じ識別情報が記憶部１０２に記憶されているか否かの確認を分配を行った回数の確認に代えることができるため、この場合には、分配した回数の計数と保存を省略し、分配を受けた電子マネー媒体４の識別情報ログのみを保存することもできる。
【００９６】
続いて、主制御部１０１は、アンテナセレクタ１３を制御して、アンテナ１４と電子マネーＲ／Ｗ装置１２を電気的に接続する（ステップ３１３）。そして、電子マネー媒体３の情報を照会し（ステップ３１４）、照会で得られた残額が予め定めた額以上であった場合には（ステップ３１５でＹＥＳ）、待機状態へ戻る。
【００９７】
また、照会で得られた残額が予め定めた額未満であった場合には（ステップ３１５でＮＯ）、主制御部１０１は、分配指示端末２を介して、その状態を通知し（ステップ３１６）、ステップ２３１（図８参照）の処理に進み、以後、前述した処理と同様の処理が行われる。
【００９８】
一方、ステップ４１０での分配が正常に終了しなかった場合には（ステップ４１１でＮＯ）、主制御部１０１は、アンテナ１４と電子マネーＲ/Ｗ装置１２を接続して（ステップ３１７）、ステップ３０１で引き去った電子マネーを電子マネー媒体３へと戻す（ステップ３１８）。そして、その内容をログとして記憶部１０２に保存し（ステップ３１９）、待機状態へと戻る。
【００９９】
また、ステップ４０４で確認を行った結果、読み取った識別情報を有する電子マネー媒体４に対する分配回数が分配限度回数以上であった場合には（ステップ４０５でＹＥＳ）、待機状態へと戻る。
【０１００】
なお、ここで説明した分配処理は、分配指示端末２から分配指示が入力される毎に行う処理であるが、図１１および図１０中に破線で示すように、ステップ３１９の後、または、ステップ３１５でＮＯであった場合、ステップ４０５でＮＯであった場合にステップ４０１に戻り、決済分配指示端末２から分配指示が入力された後に、残額が分配金額未満となるか、キャンセル指示が入力されるまで、分配処理を繰り返すようにすることも可能である。
【０１０１】
また、実施例２における分配処理においても、媒体検知センサ１８の検知結果、または、アンテナセレクタ１３によりアンテナ１４とアンテナ１５を定期的に切り替えて常時アンテナ１４が電子マネー媒体３と通信可能であることを確認することにより、常時、媒体フォルダ１７に電子マネー媒体３が収容されていることを監視する。
【０１０２】
このような分配処理を行うことで、電子マネーの移動時間を極力短く出来き、電子マネー媒体４がかざされなかった場合の引き去った電子マネーを電子マネー媒体３へと戻す作業を行なわなくて済むようになる。
【符号の説明】
【０１０３】
１    電子マネー分配装置
２    分配指示端末
３    電子マネー媒体
４    電子マネー媒体
１０    制御基板
１１    認証情報入力端末
１２    電子マネーＲ／Ｗ装置
１３    アンテナセレクタ
１４    アンテナ
１５    アンテナ
１６    電波遮断部
１７    媒体フォルダ
１８    媒体検知センサ
１９    筐体
１９’    筐体
２０    コネクタ
１０１    主制御部
１０２    記憶部
１０３    電子マネーＲ／Ｗ装置インタフェイス
【図１】
2011034194.tif 000003
【図２】
2011034194.tif 000004
【図３】
2011034194.tif 000005
【図４】
2011034194.tif 000006
【図５】
2011034194.tif 000007
【図６】
2011034194.tif 000008
【図７】
2011034194.tif 000009
【図８】
2011034194.tif 000010
【図９】
2011034194.tif 000011
【図１０】
2011034194.tif 000012
【図１１】
2011034194.tif 000013